(57)【特許請求の範囲】
【請求項１】
器具本体と、
複数のＬＥＤ光源が実装されたＬＥＤ基板と、前記ＬＥＤ基板を保持する板状の部分を具備する保持部材と、を有し、かつ、前記ＬＥＤ基板において、前記複数のＬＥＤ光源が、前記器具本体の長手方向および長手方向に直交する幅方向に予め定められたピッチで整列されているＬＥＤユニットと、
前記ＬＥＤ光源の各々に対応して設けられると共に、各々が頂部に上方開口を有し、底部に下方開口を有する略四角錐の形状をなし、前記略四角錐の内側には４つの傾斜面である反射面が設けられ、前記略四角錐の外側には４つの傾斜面である外面が設けられ、かつ、各々が連結されている複数の反射板を有する反射板ユニットと、
を備え、
前記複数のＬＥＤ光源の各々と、前記連結されている複数の反射板の各々における前記上方開口とが対応するように、前記ＬＥＤユニットと前記反射板ユニットとが位置合わせされて、各ユニットが前記器具本体に固定されており、
前記ＬＥＤユニットにおける前記保持部材は、所定位置において下方に突出する複数の突起部を有し、
前記複数の突起部の各々の先端部には、前記連結されている複数の反射板のうちの１つの、前記４つの傾斜面である外面のうちの１つに平行であり、かつ、その傾斜面である外面に当接する傾斜面を備える当接部が形成されており、
前記当接部は、前記ＬＥＤユニットを前記反射板ユニットに組み付けるに際して、前記ＬＥＤユニットと前記反射板ユニットとが位置合わせされるように、前記連結されている複数の反射板を誘導し、かつ、前記連結されている複数の反射板の、前記上方開口が形成されている頂部に、前記ＬＥＤ基板が接触することを防止する照明器具。
【請求項２】
請求項１に記載の照明器具において、
前記突起部は、前記保持部材の、前記板状の部分の外周部に設けられている照明器具。
【発明の詳細な説明】
【技術分野】
【０００１】
本発明は、ＬＥＤを光源として例えば店舗や施設のベースライトに適用される照明器具に関する。
【背景技術】
【０００２】
従来より複数のＬＥＤ光源および反射板をケースに収容した照明器具が知られている（例えば、特許文献１参照）。
【先行技術文献】
【特許文献】
【０００３】
【特許文献１】特開２００８−２７０１４４号公報（図２、段落番号００２８）
【発明の概要】
【発明が解決しようとする課題】
【０００４】
前述した特許文献１に記載された照明器具は、反射板が複数のＬＥＤ光源をそれぞれ取り囲んで配置されているために、複数のＬＥＤ光源からの光を床面に向けて照射することができる。
ところで、図２９に示すように、このような従来の照明器具１００では、複数のＬＥＤ光源１０１の輝度を低減するために、各ＬＥＤ光源１０１の遮光用として格子状の反射板１０２がパネル１０３内に収められている。
しかし、このような従来の照明器具１００では、複数のＬＥＤ光源１０１を有するＬＥＤユニット１０４をパネル１０３内で反射板１０２に対して位置決めするのが難しい。
これにより、このような従来の照明器具１００では、ＬＥＤユニット１０４に対して反射板１０２に位置ずれを生じた際に反射板１０２がＬＥＤ光源１０１に接触しないようにするために、反射板１０２の上方開口部１０５の開口寸法Ｌ５０をＬＥＤ光源１０１に対して予め広く形成しておく必要がある。
その結果、このような従来の照明器具１００では、反射板１０２に有する反射面１０６の傾斜角度α１０が大きくなり、ＬＥＤ光源１０１からの光を下方即ち床面に効率的に反射できない。
また、このような従来の照明器具１００では、反射板１０２がパネル１０３内で上下に動くことがあるために、反射板１０２が上方に向けて動いた際に、反射板１０２の上端が、ＬＥＤユニット１０４においてＬＥＤ光源１０１を実装しているＬＥＤ基板１０７に接触してしまい、ＬＥＤ光源１０１およびＬＥＤ基板１０７が損傷される。
【０００５】
本発明は、前述した課題を解決するためになされたものであり、その目的は、光源の光を下方へ効率的に反射することにより器具効率を高められるとともにＬＥＤ光源およびＬＥＤ基板への損傷を防止できる照明器具を提供することにある。
【課題を解決するための手段】
【０００６】
本発明に係る照明器具は、器具本体と、複数のＬＥＤ光源が実装されたＬＥＤ基板と、前記ＬＥＤ基板を保持する板状の部分を具備する保持部材と、を有し、かつ、前記ＬＥＤ基板において、前記複数のＬＥＤ光源が、前記器具本体の長手方向および長手方向に直交する幅方向に予め定められたピッチで整列されているＬＥＤユニットと、ＬＥＤ光源の各々に対応して設けられると共に、各々が頂部に上方開口を有し、底部に下方開口を有する略四角錐の形状をなし、前記略四角錐の内側には４つの傾斜面である反射面が設けられ、前記略四角錐の外側には４つの傾斜面である外面が設けられ、かつ、各々が連結されている複数の反射板を有する反射板ユニットと、を備え、前記複数のＬＥＤ光源の各々と、前記連結されている複数の反射板の各々における前記上方開口とが対応するように、前記ＬＥＤユニットと前記反射板ユニットとが位置合わせされて、各ユニットが前記器具本体に固定されており、前記ＬＥＤユニットにおける前記保持部材は、所定位置において下方に突出する複数の突起部を有し、前記複数の突起部の各々の先端部には、前記連結されている複数の反射板のうちの１つの、前記４つの傾斜面である外面のうちの１つに平行であり、かつ、その傾斜面である外面に当接する傾斜面を備える当接部が形成されており、前記当接部は、前記ＬＥＤユニットを前記反射板ユニットに組み付けるに際して、前記ＬＥＤユニットと前記反射板ユニットとが位置合わせされるように、前記連結されている複数の反射板を誘導し、かつ、前記連結されている複数の反射板の、前記上方開口が形成されている頂部に、前記ＬＥＤ基板が接触することを防止する。
【０００７】
本発明に係る照明器具は、突起部は、前記保持部材の、前記板状の部分の外周部に設けられている。
【発明の効果】
【０００８】
本発明の照明器具によれば、光源の光を下方へ効率的に反射することにより器具効率を高められるとともにＬＥＤ光源およびＬＥＤ基板への損傷を防止できるという効果を奏する。
【図面の簡単な説明】
【０００９】
【図１】本発明に係る第１実施形態の照明器具の斜め下方から視た外観斜視図
【図２】図１の照明器具の斜め上方から視た外観斜視図
【図３】図１の照明器具の垂直断面図
【図４】図１の照明器具の分解斜視図
【図５】図１の照明器具におけるＬＥＤユニットの斜め下方から視た外観斜視図
【図６】図１の照明器具における反射板ユニットの斜め上方から視た外観斜視図
【図７】図１の照明器具における反射板形成部材の斜め上方から視た外観斜視図
【図８】図７の反射板形成部材の斜め下方から視た外観配管斜視図
【図９】図１の照明器具における反射板形成部材の斜め上方から視た一部破断外観斜視図
【図１０】図１の照明器具における保持部材の反射板形成部材への取付前の斜め上方から視た一部破断外観斜視図
【図１１】図１の照明器具における保持部材の反射板形成部材への取付前の垂直断面図
【図１２】図１の照明器具における保持部材の反射板形成部材への取付時の垂直断面図
【図１３】図１の照明器具における保持部材の斜め上方から視た一部破断外観斜視図
【図１４】図１の照明器具における保持部材と反射板形成部材との垂直断面図
【図１５】図１の照明器具における保持部材の反射板形成部材への取付時の垂直断面図
【図１６】図１の照明器具における保持部材の反射板形成部材への取付後の垂直断面図
【図１７】図１の照明器具におけるＬＥＤ光源の作用を説明する垂直断面図
【図１８】図１の照明器具における保持部材の作用を説明する垂直断面図
【図１９】図１の照明器具の第１変形例の分解斜視図
【図２０】図１９の照明器具における保持部材の反射板形成部材への取付後の垂直断面図
【図２１】図１の照明器具の第２変形例の保持部材の一部破断平面図
【図２２】図２１の照明器具における保持部材の反射板形成部材への取付前の垂直断面図
【図２３】本発明に係る第２実施形態の照明器具の垂直断面図
【図２４】本発明に係る第３実施形態の照明器具の垂直断面図
【図２５】本発明に係る第４実施形態の照明器具の垂直断面図
【図２６】本発明に係る第５実施形態の照明器具の垂直断面図
【図２７】従来の照明器具における均性度の説明図
【図２８】図１の照明器具における均性度の説明図
【図２９】従来の照明器具の垂直断面図
【発明を実施するための形態】
【００１０】
以下、本発明の複数の実施形態に係る照明器具について図面を参照して説明する。
（第１実施形態）
本発明の第１実施形態である照明器具１０は、複数のＬＥＤ光源１２を実装したＬＥＤ基板１３が保持部材１４に保持されたＬＥＤユニット１１と、複数の反射板形成部材１６と複数のパネル１７とが組付けられて枠部材（器具本体）１８に配列された反射板ユニット１５と、点灯装置１９とを備えて店舗や施設のベースライトに適用される。
【００１１】
図１、図２、図３に示すように、ＬＥＤユニット１１は、ＬＥＤ基板１３の下面に複数のＬＥＤ光源１２が実装されており、ＬＥＤ基板１３の上側に保持部材１４が組付けられている。保持部材１４は例えば金属製であり、上部に点灯装置１９が取り付けられている。点灯装置１９には、不図示のＡＣ／ＤＣコンバータやインバータ回路が内蔵されており、駆動により商用電源を直流電源に変換してＬＥＤ基板１３に有するプリント回路に供給してＬＥＤ光源１２を発光させる。
枠部材１８は、端部が垂直断面視コ字形状を有する金属製であって、コ字形状部分の内側にフランジ２０を有し、このフランジ２０を介してパネル１７の外縁部と保持部材１４の外縁部とが枠部材１８に取り付けられる。
【００１２】
図４、図５に示すように、ＬＥＤユニット１１において、保持部材１４は、板形状をなす保持部材本体部２１を有する。保持部材本体部２１は、ＬＥＤ基板１３の外周部に複数のネジ孔２２を有し、これらネジ孔２２を介してネジ（図１０参照）２３が反射板ユニット１５の反射板形成部材１６にネジ込まれることによりＬＥＤユニット１１が反射板ユニット１５に取り付けられる。さらに、保持部材１４は、ＬＥＤ基板１３の外周部においてネジ孔２２とは独立した位置に複数の突起部２４が下方に向けて突出されている。ＬＥＤ光源１２は、ＬＥＤ基板１３の長手方向および長手方向に直交する幅方向に予め定められたピッチで整列されている。
【００１３】
図６、図７、図８に示すように、反射板ユニット１５は、反射板形成部材１６のそれぞれの下面に、例えば透明や乳白色のパネル１７が組付けられており、これら反射板形成部材１６とパネル１７との組体２５が枠部材１８の内側に長手方向に沿って組付けられる。
反射板形成部材１６は、ＬＥＤユニット１１におけるＬＥＤ光源１２の数と同数の複数の連結された反射板（遮光部材）２６を有する。反射板２６は、第１実施形態においては、白色の樹脂成型材料を基材として略四角錐形状に形成されており、内面に反射面（傾斜面）２７を有するとともに外面（裏面）に突起部当接面２８を有し、上端部の頂部に予め定められた大きさの四角形の上方開口部２９を有する。
【００１４】
図９、図１０、図１１、図１２に示すように、反射板形成部材１６は、樹脂製であって、保持部材本体部２１のネジ孔２２に対応した位置に複数のボス３０を有し、これらボス３０にボス孔３１を有する。そのため、保持部材本体部２１に挿通されたネジ２３がボス３０のボス孔３１にネジ込まれる。
【００１５】
図１３に示すように、保持部材１４の突起部２４は、保持部材本体部２１におけるＬＥＤ基板１３の外周部の所定位置を下方に向けて切り曲げ加工することにより形成される。そして、突起部２４は、その先端部に反射板２６の突起部当接面２８の傾斜形状に平行な角度に形成された反射板支持部（反射板当接部）３２を有する。なお、突起部２４は、保持部材本体部２１の所定位置を下方に向けて切り曲げ加工することにより板形状に形成するのに代えて、円筒形等に形成されても良い。もちろん、その場合も、先端部が反射板２６の突起部当接面２８の傾斜形状に平行な角度に形成される。また、突起部２４は、保持部材１４に代えて、反射板２６側に形成しても良く、その場合は、反射板２６の保持部材１４側が反射板２６の裏面の傾斜形状に平行な角度に形成される。
【００１６】
図１４、図１５に示すように、ＬＥＤユニット１１を反射板ユニット１５の反射板形成部材１６に組付けるにあたり、保持部材１４が枠部材１８のフランジ２０上に載置されてから、保持部材本体部２１に挿通されたネジ２３がボス３０のボス孔３１にネジ込まれる。このとき、保持部材１４に有する突起部２４の反射板支持部３２が反射板２６の裏面の突起部当接面２８に最初に当接することにより反射板２６をＬＥＤ光源１２に合致する所定位置に誘導する。
【００１７】
図１６、図１７に示すように、保持部材１４の保持部材本体部２１に挿通されたネジ２３がボス３０のボス孔３１にネジ込まれることにより、ＬＥＤユニット１１のＬＥＤ光源１２に対して反射板形成部材１６の個々の反射板２６における上方開口部２９が位置合わせされて固定される。これにより、従来のものと比べて、反射板２６の上方開口部２９の開口寸法Ｌ１を小さく設定できるとともに反射面２７の傾斜角度α１を小さくできる。従って、ＬＥＤ光源１２からの光のうちの反射板２６の反射面２７で反射した反射光を効率良く下方へ向けることができる。特に、反射板２６の反射面２７で反射した反射光のパネル１７に対する入射角が垂直に近づくために、パネル１７の内面で反射してしまう光を低減することができる。
【００１８】
図１８に示すように、保持部材１４の保持部材本体部２１に挿通されたネジ２３がボス３０のボス孔３１にネジ込まれた際、ＬＥＤ基板１３と反射板２６の上端面との間隔寸法Ｌ２よりも、保持部材１４の突起部２４の反射板支持部３２と反射板２６の裏面の突起部当接面２８との間の間隔寸法Ｌ３の方が小さくなっている。これにより、ネジ２３のネジ込み時等に反射板２６を上方に押圧する荷重が反射板２６にかかったとしても、突起部２４を介して、その荷重を保持部材１４が受けることになるために、ＬＥＤ基板１３およびＬＥＤ光源１２に反射板２６が接触しない。
【００１９】
図１９、図２０に示すように、照明器具１０の第１変形例では、保持部材１４の保持部材本体部２１におけるＬＥＤ基板１３の外周部に複数のボス孔３３が形成されている。そして、反射板形成部材１６に、保持部材本体部２１のボス孔３３に対応した位置に複数のボス３４を有する。
この場合、保持部材１４を反射板形成部材１６に取り付けるにあたり、保持部材１４のボス孔３３を反射板形成部材１６のボス３４に外挿させてから、反射板形成部材１６から飛び出しているボス３４が熱溶着等により保持部材１４に固定される。
【００２０】
図２１、図２２に示すように、照明器具１０の第２変形例では、保持部材１４の保持部材本体部２１におけるＬＥＤ基板１３の外周部に複数のＵ字切欠３５が形成されている。そして、反射板形成部材１６に、保持部材本体部２１のＵ字切欠３５に対応した位置に複数のボス３６を有する。
この場合、保持部材１４を反射板形成部材１６に取り付けるにあたり、保持部材１４のＵ字切欠３５を反射板形成部材１６のボス３６に外挿させてから、反射板形成部材１６から飛び出しているボス３６が熱溶着等により保持部材１４に固定される。
【００２１】
従って、この第１実施形態の照明器具１０においては、保持部材１４に有する突起部２４の反射板支持部３２により反射板２６の裏面の突起部当接面２８が誘導される。そのため、この第１実施形態の照明器具１０においては、ＬＥＤユニット１１のＬＥＤ光源１２に対して反射板形成部材１６の個々の反射板２６における上方開口部２９が位置合わせされる。
これにより、この第１実施形態の照明器具１０においては、従来のものと比べて、反射板１６の上方開口部２９の開口寸法Ｌ１を小さく設定できるとともに、反射面２７の傾斜角度α１を小さくできる。そのため、この第１実施形態の照明器具１０においては、ＬＥＤ光源１２からの光のうちの反射板２６の反射面２７で反射した反射光を効率良く下方へ向けることができるので、ＬＥＤ光源１２の光を下方へ効率的に反射することにより器具効率を高められる。
【００２２】
また、この第１実施形態の照明器具１０においては、ＬＥＤ基板１３と反射板２６の上端面との間隔寸法Ｌ２よりも、保持部材１４の突起部２４の反射板支持部３２と反射板２６の裏面の突起部当接面２８との間の間隔寸法Ｌ３の方が小さくなっている。
これにより、この第１実施形態の照明器具１０においては、ネジ２３のネジ込み時等に反射板２６を上方に押圧する荷重が反射板２６にかかった場合、突起部２４を介して、その荷重を保持部材１４が受けることになるために、ＬＥＤ基板１３およびＬＥＤ光源１２に反射板２６が接触することがなく、ＬＥＤ光源１２およびＬＥＤ基板１３への損傷を防止できる。
【００２３】
そして、この第１実施形態の照明器具１０においては、保持部材１４の保持部材本体部２１に挿通されたネジ２３がボス３０のボス孔３１にネジ込まれる際、保持部材１４に有する突起部２４の反射板支持部３２により反射板２６の裏面の突起部当接面２８が誘導される。
これにより、この第１実施形態の照明器具１０においては、ＬＥＤユニット１１のＬＥＤ光源１２に対して反射板形成部材１６の個々の反射板２６における上方開口部２９を確実に位置合わせできる。
【００２４】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００２５】
図２３に示すように、本発明の第２実施形態の照明器具４０は、反射板形成部材１６における長手方向に直交する幅方向の外側に位置する反射板４１と、反射板４１の内側に位置する反射板４２と、反射板４２の内側に位置する反射板４３とにおいて、上下方向の寸法は同一とし、幅方向の寸法を外側のみ変更したものである。
【００２６】
すなわち、照明器具４０は、反射板形成部材１６における長手方向に直交する幅方向の外側に位置する反射板４１の下方開口部４４の開口寸法Ｌ４が、反射板４１の内側に位置する反射板４２の下方開口部４５の開口寸法Ｌ５よりも大きく設定されている。そして、反射板４２の内側に位置する反射板４３の開口寸法Ｌ５が反射板４２と同一に設定されている。そのため、ＬＥＤユニット１１は、外側に位置するＬＥＤ光源１２が、外側に位置する反射板４１の下方開口部４４の開口中心に対して内側にオフセットされて配置されている。
【００２７】
照明器具４０では、内側に位置する反射板４２、４３の反射面４６が有する傾斜角度α２よりも、外側に位置する反射板４１の反射面４７が有する傾斜角度α３の方が小さく（浅く）なっている。そのため、内側に位置する反射板４２、４３の反射面４６が有する遮光角α４よりも、外側に位置する反射板４１の反射面４７が有する遮光角α５の方が小さくなっている。
【００２８】
これにより、外側に位置するＬＥＤ光源１２からの光が、より側方に向けて照射される。これに対して、内側に位置するＬＥＤ光源１２からの光は、より側方へ向けて照射されない。加えて、外側に位置するＬＥＤ光源１２からの光は、内側に位置するＬＥＤ光源１２からの光の遮光特性および反射特性に影響を与えないために、オフセットされることに伴う光学性能の変動を内側方向に影響させることがない。なお、反射板４１、４２、４３は、金属製であっても良く、それらの表面が銀色等の、より反射率の高いものや、黒色等の反射率の低いものであっても良い。さらに、略四角錐形状に代えて、円錐形状に形成されても良い。
【００２９】
従って、この第２実施形態の照明器具４０においては、内側に位置する反射板４２、４３の反射面４６が有する遮光角α４よりも、外側に位置する反射板４１の反射面４７が有する遮光角α５の方が小さく設定されている。そのため、この第２実施形態の照明器具４０においては、外側に位置するＬＥＤ光源１２からの光が、より側方に向けて照射され、内側に位置するＬＥＤ光源１２からの光が、より側方へ向けて照射されない。
これにより、この第２実施形態の照明器具４０においては、照射面の均性度を向上できる。
【００３０】
また、この第２実施形態の照明器具４０においては、幅方向の外側に位置する反射板４１の下方開口４４の開口寸法Ｌ４が、内側に位置する反射板４２、４３の下方開口４４、４５の開口寸法Ｌ５よりも大きい。そのため、この第２実施形態の照明器具４０においては、外側に位置するＬＥＤ光源１２からの光が、内側に位置するＬＥＤ光源１２の遮光特性および反射特性に影響を与えない。
これにより、この第２実施形態の照明器具４０においては、全体としてグレアの悪化を最小限に抑え、下面照度の低下を防止できる。
【００３１】
（第３実施形態）
次に、本発明の第３実施形態の照明器具について説明する。
図２４に示すように、本発明の第３実施形態の照明器具５０は、反射板形成部材１６における長手方向に直交する幅方向の外側に位置する反射板５１と、反射板５１の内側に位置する反射板５２と、反射板５２の内側に位置する反射板５３とにおいて、幅方向の寸法は同一とし、上下方向の寸法を外側のみ変更したものである。
【００３２】
すなわち、照明器具５０は、反射板形成部材１６に有する最外側の反射板５１、反射板５１の内側に位置する反射板５２、反射板５２の内側に位置する反射板５３のそれぞれの下方開口部５４の開口寸法Ｌ６が全て同一である。そして、照明器具５０は、最外部の反射板５１における外側部の上端部からの突出寸法Ｌ７が、内側に位置する反射板５２および反射板５３の上端部からの突出寸法Ｌ８よりも長さ寸法Ｌ９だけ短く設定されている。
【００３３】
従って、この第３実施形態の照明器具５０においては、最外部の反射板５１における外側部の上端部からの突出寸法Ｌ７が、内側に位置する反射板５２および反射板５３の上端部からの突出寸法Ｌ８よりも短く設定されている。
これにより、この第３実施形態の照明器具５０においては、外側に位置するＬＥＤ光源１２からの光が、より側方に向けて照射され、内側に位置するＬＥＤ光源１２からの光が、より側方へ向けて照射されず、照射面の均性度を向上できる。
【００３４】
また、この第３実施形態の照明器具５０においては、外側に位置するＬＥＤ光源１２からの光が、内側に位置するＬＥＤ光源１２の遮光特性および反射特性に影響を与えない。
これにより、この第３実施形態の照明器具５０においては、全体としてグレアの悪化を最小限に抑え、下面照度の低下を防止できる。
【００３５】
（第４実施形態）
次に、本発明の第４実施形態の照明器具について説明する。
図２５に示すように、本発明の第４実施形態の照明器具６０は、反射板形成部材１６における長手方向に直交する幅方向の外側に位置する反射板６１と、反射板６１の内側に位置する反射板６２と、反射板６２の内側に位置する反射板６３とにおいて、上下方向の寸法は同一とし、幅方向の寸法を変更したものである。
【００３６】
すなわち、照明器具６０は、反射板形成部材１６における長手方向に直交する幅方向の外側に位置する反射板６１の下方開口部６４の開口寸法Ｌ１０が、反射板６１の内側に位置する反射板６２の下方開口部６５の開口寸法Ｌ１１よりもわずかに大きく、反射板６２の下方開口部６５の開口寸法Ｌ１１が、反射板６２の内側に位置する反射板６３の下方開口部６６の開口寸法Ｌ１２よりもわずかに大きく設定されている。
【００３７】
従って、この第４実施形態の照明器具６０においては、外側にいくにしたがって反射板６３、反射板６２、反射板６１の開口寸法が順次大きく設定されている。
これにより、この第４実施形態の照明器具６０においては、外側に位置するＬＥＤ光源１２からの光が、より側方に向けて照射され、内側に位置するＬＥＤ光源１２からの光が、より側方へ向けて照射されず、照射面の均性度を向上できる。
【００３８】
また、この第４実施形態の照明器具６０においては、外側に位置するＬＥＤ光源１２からの光が、内側に位置するＬＥＤ光源１２の遮光特性および反射特性に影響を与えない。
これにより、この第４実施形態の照明器具６０においては、全体としてグレアの悪化を最小限に抑え、下面照度の低下を防止できる。
【００３９】
そして、この第４実施形態の照明器具６０においては、外側にいくにしたがって反射板６３、反射板６２、反射板６１の開口寸法が徐々に大きく設定されている。
これにより、この第４実施形態の照明器具６０においては、下方から見上げた場合に最外側の反射板６１のみが大きく見える違和感を使用者に与えることがないので外観性を向上できる。
【００４０】
（第５実施形態）
次に、本発明の第５実施形態の照明器具について説明する。
図２６に示すように、本発明の第５実施形態の照明器具７０は、反射板形成部材１６における長手方向に直交する幅方向の外側に位置する反射板７１と、反射板７１の内側に位置する反射板７２と、反射板７２の内側に位置する反射板７３とにおいて、幅方向の寸法は同一とし、上下方向の寸法を変更したものである。
【００４１】
すなわち、照明器具７０は、反射板形成部材１６に有する最外側の反射板７１、反射板７１の内側に位置する反射板７２、反射板７２の内側に位置する反射板７３のそれぞれの下方開口部７４の開口寸法Ｌ１３が全て同一である。そして、照明器具７０は、最外部の反射板７１における外側部の上端部からの突出寸法Ｌ１４が、反射板７３における外側部の上端部からの突出寸法Ｌ１５よりも長さ寸法Ｌ１６だけ短く設定されている。そして、反射板７１の内側に位置する反射板７２の上端部からの突出寸法Ｌ１７が、反射板７３における外側部の上端部からの突出寸法Ｌ１５よりも長さ寸法Ｌ１８だけ短く設定されている。ここで、長さ寸法Ｌ１６は長さ寸法Ｌ１８よりもわずかに大きい。
【００４２】
従って、この第５実施形態の照明器具７０においては、外側にいくにしたがって反射板７３、反射板７２、反射板７１の上端部からの突出寸法が順次短く設定されている。
これにより、この第５実施形態の照明器具７０においては、外側に位置するＬＥＤ光源１２からの光が、より側方に向けて照射され、内側に位置するＬＥＤ光源１２からの光が、より側方へ向けて照射されず、照射面の均性度を向上できる。
【００４３】
また、この第５実施形態の照明器具７０においては、外側に位置するＬＥＤ光源１２からの光が、内側に位置するＬＥＤ光源１２の遮光特性および反射特性に影響を与えない。
これにより、この第５実施形態の照明器具７０においては、全体としてグレアの悪化を最小限に抑え、下面照度の低下を防止できる。
【００４４】
図２７に示すように、１９．２ｍの横方向の長さ寸法Ｌ８０で、１２．８ｍの縦方向の長さ寸法Ｌ９０を有する天井施工面に従来と同等の複数の照明器具を設置した場合、小さい均性度になった。これに対して、図２８に示すように、上記と同様の天井施工面に本発明の照明器具を設置した場合、大きい均性度になった。
【００４５】
なお、第１実施形態、第２実施形態、第３実施形態、第４実施形態、第５実施形態で使用したＬＥＤ光源、ＬＥＤ基板、反射板形成部材、パネル、枠部材、点灯装置等は例示したものに限定するものではなく適宜変更が可能である。
【符号の説明】
【００４６】
１０、４０、５０、６０、７０  照明器具
１２  ＬＥＤ光源（光源）
１３  ＬＥＤ基板
１４  保持部材
２４  突起部
２６、４１、４２、４３、５１、５２、５３、６１、６２、６３、７１、７２、７３  反射板
３２  反射板支持部（反射板当接部）
【図１】
0005534920.tif 000002
【図２】
0005534920.tif 000003
【図３】
0005534920.tif 000004
【図４】
0005534920.tif 000005
【図５】
0005534920.tif 000006
【図６】
0005534920.tif 000007
【図７】
0005534920.tif 000008
【図８】
0005534920.tif 000009
【図９】
0005534920.tif 000010
【図１０】
0005534920.tif 000011
【図１１】
0005534920.tif 000012
【図１２】
0005534920.tif 000013
【図１３】
0005534920.tif 000014
【図１４】
0005534920.tif 000015
【図１５】
0005534920.tif 000016
【図１６】
0005534920.tif 000017
【図１７】
0005534920.tif 000018
【図１８】
0005534920.tif 000019
【図１９】
0005534920.tif 000020
【図２０】
0005534920.tif 000021
【図２１】
0005534920.tif 000022
【図２２】
0005534920.tif 000023
【図２３】
0005534920.tif 000024
【図２４】
0005534920.tif 000025
【図２５】
0005534920.tif 000026
【図２６】
0005534920.tif 000027
【図２７】
0005534920.tif 000028
【図２８】
0005534920.tif 000029
【図２９】
0005534920.tif 000030